【手続補正書】
【提出日】平成30年1月11日(2018.1.11)
【手続補正１】
【補正対象書類名】特許請求の範囲
【補正対象項目名】全文
【補正方法】変更
【補正の内容】
【特許請求の範囲】
【請求項１】
電子デバイスのユーザを認証する方法であって、
前記電子デバイスの1つまたは複数のセンサーにより、前記ユーザが非認証動作用のユーザデータを入力するために前記電子デバイスのユーザインターフェースと対話している間に、ある時間期間にわたって前記複数のバイオメトリック画像を連続してキャプチャするステップと、
前記複数のバイオメトリック画像の各画像について、
(1)前記電子デバイスのプロセッサにより、前記ユーザインターフェースのキーを判定し、(2) 前記電子デバイスのプロセッサにより、前記ユーザインターフェースの前記キーに対応する指を決定するステップであって、前記キーは前記ユーザインターフェースと対話している間に前記ユーザにより選択され、前記画像の前記キャプチャに関連付けられる、ステップと、
前記プロセッサにより、前記複数のバイオメトリック画像が前記ユーザの１本の指に対応するかどうかを判定するステップと、
前記複数のバイオメトリック画像が前記ユーザの前記１本の指に対応すると判定したことに応答して、前記複数のキャプチャされた画像との比較のために、前記電子デバイスの前記プロセッサにより、前記複数のバイオメトリック画像に対応する前記ユーザの前記１本の指に基づいて複数の基準画像から少なくとも１つの基準画像を選択するステップと、
前記電子デバイスの前記プロセッサにより、前記複数のバイオメトリック画像を前記少なくとも１つの選択された基準画像と比較するステップと、
前記比較に基づいて前記電子デバイスに対する前記ユーザのアクセスを認証するステップと、
を含む方法。
【請求項２】
前記ユーザインターフェースが、前記電子デバイスのタッチスクリーン上に仮想キーボードを含む、請求項1に記載の方法。
【請求項３】
前記ユーザインターフェースが、物理キーボードを含む、請求項1に記載の方法。
【請求項４】
前記複数のバイオメトリック画像を前記少なくとも1つの選択された基準画像結果と比較するステップが、複数の比較をもたらし、前記方法が、前記複数の比較の結果を単一の結果に組み合わせるステップをさらに含む、請求項1に記載の方法。
【請求項５】
前記複数のバイオメトリック画像を前記少なくとも1つの選択された基準画像と比較するステップが、
前記複数のバイオメトリック画像を複合画像に組み合わせるステップと、
前記複合画像を前記少なくとも1つの選択された基準画像と比較するステップと
を含む、請求項1に記載の方法。
【請求項６】
前記複数のバイオメトリック画像を複合画像に組み合わせるステップが、前記複数のバイオメトリック画像が一緒にスティッチして指紋の前記複合画像を形成するステップをさらに含む、請求項5に記載の方法。
【請求項７】
前記キャプチャされた複数のバイオメトリック画像のうち少なくとも２つがそれぞれ、前記ユーザインターフェースの異なるキーに関連付けられる、請求項5に記載の方法。
【請求項８】
行動バイオメトリックデータをキャプチャするステップと、
前記キャプチャされた行動バイオメトリックデータを記憶された行動バイオメトリックデータと比較するステップと
をさらに含み、
前記電子デバイスに対する前記ユーザのアクセスを認証するステップが、前記キャプチャされた行動バイオメトリックデータと前記記憶された行動バイオメトリックデータとの比較にさらに基づく、
請求項1に記載の方法。
【請求項９】
組み合わされた比較スコアを作成するために、(i)前記複数のバイオメトリック画像と前記少なくとも1つの選択された基準画像との前記比較に関する情報および(ii)前記キャプチャされた行動バイオメトリックデータと前記記憶された行動バイオメトリックデータの結果との前記比較の結果を組み合わせるステップをさらに含む、請求項8に記載の方法。
【請求項１０】
前記複数のバイオメトリック画像をキャプチャするステップが、前記電子デバイスを使用した初期認証の後に行われる、請求項1に記載の方法。
【請求項１１】
前記提供された情報は前記ユーザのアプリケーションの機能を決定するために使用される、請求項1に記載の方法。
【請求項１２】
前記複数のキャプチャされた画像との比較のために前記複数の基準画像から少なくとも１つの基準画像を選択するステップは、前記ユーザが前記ユーザインターフェースと対話しているときの前記電子デバイスの方向に基づく、請求項1に記載の方法。
【請求項１３】
前記ユーザインターフェースの前記キーに対応する前記指を決定するステップは、前記キーに関連付けられた複数の指から前記指を選択するステップを含む、請求項1に記載の方法。
【請求項１４】
前記複数の指の各々は、前記複数の基準画像のうち少なくとも１つの異なる基準画像に関連付けられる、請求項13に記載の方法。
【請求項１５】
前記ユーザインターフェースの前記キーに対応する前記指を決定するステップは、前記ユーザインターフェースと前記指との間のマッピングに基づく、請求項1に記載の方法。
【請求項１６】
前記ユーザインターフェースの各キーは前記ユーザの少なくとも1本の指にマップされ、前記ユーザインターフェースの少なくとも2つのキーは前記ユーザの1本の指にマップされる、請求項15に記載の方法。
【請求項１７】
デバイスであって、
ユーザインターフェースと、
ユーザが非認証動作用に使用されるユーザデータを入力するために前記ユーザインターフェースと対話している間に、ある時間期間にわたって複数のバイオメトリック画像を連続してキャプチャするように構成された1つまたは複数のセンサーと、
前記1つまたは複数のセンサーと通信可能に結合された処理ユニットであって、
前記複数のバイオメトリック画像の各画像について、
(1)前記ユーザインターフェースのキーを判定し、(2)前記ユーザインターフェースの前記キーに対応する指を決定し、
前記複数のバイオメトリック画像が前記ユーザの１本の指に対応するかどうかを判定し、
前記複数のバイオメトリック画像が前記ユーザの前記１本の指に対応すると判定したことに応答して、前記複数のキャプチャされた画像との比較のために、前記複数のバイオメトリック画像に対応する前記ユーザの前記１本の指に基づいて複数の基準画像から少なくとも１つの基準画像を選択し、
前記複数のバイオメトリック画像を前記少なくとも１つの選択された基準画像と比較し、
前記比較に基づいて前記電子デバイスに対する前記ユーザのアクセスを認証する
ように構成された処理ユニットであって、前記キーは前記ユーザインターフェースと対話している間に前記ユーザにより選択され、前記画像の前記キャプチャに関連付けられる、処理ユニットと
を備えるデバイス。
【請求項１８】
タッチスクリーンをさらに備え、前記ユーザインターフェースが、前記タッチスクリーン上に仮想キーボードを含む、請求項17に記載のデバイス。
【請求項１９】
前記処理ユニットが、
前記複数のバイオメトリック画像の各画像を前記少なくとも1つの選択された基準画像と前記比較することによって、複数の比較を行い、
前記複数の比較の結果を単一の結果に組み合わせる
ようにさらに構成される、請求項17に記載のデバイス。
【請求項２０】
前記複数のバイオメトリック画像を前記少なくとも1つの選択された基準画像と比較するステップが、
前記複数のバイオメトリック画像を複合画像に組み合わせることと、
前記複合画像を前記少なくとも1つの基準画像と比較することと
によって、前記画像を前記少なくとも1つの選択された基準画像と比較するように構成される、請求項17に記載のデバイス。
【請求項２１】
前記処理ユニットが、
行動バイオメトリックデータをキャプチャし、
前記キャプチャされた行動バイオメトリックデータを記憶された行動バイオメトリックデータと比較する
ようにさらに構成され、
前記電子デバイスに対する前記ユーザのアクセスを認証するステップが、前記キャプチャされた行動バイオメトリックデータと前記記憶された行動バイオメトリックデータとの比較にさらに基づく、
請求項17に記載のデバイス。
【請求項２２】
前記処理ユニットが、組み合わされた比較スコアを作成するために、(i)前記複数のバイオメトリック画像と前記少なくとも1つの選択された基準画像との前記比較に関する情報および(ii)前記キャプチャされた行動バイオメトリックデータと前記記憶された行動バイオメトリックデータの結果との前記比較の結果を組み合わせるようにさらに構成される、請求項21に記載のデバイス。
【請求項２３】
前記処理ユニットが、前記1つまたは複数のセンサーに、前記デバイスが初期認証を行った後、前記複数のバイオメトリック画像をキャプチャさせるように構成される、請求項17に記載のデバイス。
【請求項２４】
前記提供された情報は前記ユーザのアプリケーションの機能を決定するために使用される、請求項17に記載のデバイス。
【請求項２５】
電子デバイスのユーザを認証するための命令を埋め込んだ非一時的コンピュータ可読記憶媒体であって、前記命令が、前記電子デバイスの1つまたは複数のプロセッサにより実行されたとき、前記1つまたは複数のプロセッサに、
前記電子デバイスの1つまたは複数のセンサーにより、前記ユーザが非認証動作用のユーザデータを入力するために前記電子デバイスのユーザインターフェースと対話している間に、ある時間期間にわたって前記複数のバイオメトリック画像を連続してキャプチャし、
前記複数のバイオメトリック画像の各画像について、
(1)前記ユーザインターフェースのキーを判定し、(2) 前記電子デバイスのプロセッサにより、前記ユーザインターフェースの前記キーに対応する指を決定し、
前記複数のバイオメトリック画像が前記ユーザの１本の指に対応するかどうかを判定し、
前記キーに対応する前記指を決定したことに応答して、前記キャプチャされた画像との比較のために、前記ユーザインターフェースの前記キーに対応する前記指に基づいて、複数の基準画像から少なくとも１つの基準画像を選択し、
前記複数のバイオメトリック画像を前記少なくとも１つの選択された基準画像と比較し、
前記比較に基づいて前記電子デバイスに対する前記ユーザのアクセスを認証する
ためのコンピュータコードであって、前記キーは前記ユーザインターフェースと対話している間に前記ユーザにより選択され、前記画像の前記キャプチャに関連付けられ、前記複数の基準画像は前記ユーザインターフェースの幾つかのキーに関連付けられる、コンピュータコードを含む、非一時的コンピュータ可読記憶媒体。
【請求項２６】
前記ユーザインターフェースが前記電子デバイスのタッチスクリーン上に仮想キーボードを含み、前記命令が、前記1つまたは複数のプロセッサに前記仮想キーボードを表示させる、請求項25に記載の非一時的コンピュータ可読記憶媒体。
【請求項２７】
前記複数のバイオメトリック画像の各画像を前記少なくとも1つの選択された基準画像と比較するための前記コンピュータコードが、複数の比較をもたらし、前記命令が、前記1つまたは複数のプロセッサに複数の比較の結果を単一の結果に組み合わせさせる、請求項25に記載の非一時的コンピュータ可読記憶媒体。
【請求項２８】
前記複数のバイオメトリック画像を前記少なくとも1つの選択された基準画像と比較するステップが、
前記複数のバイオメトリック画像を複合画像に組み合わせるステップと、
前記複合画像を前記少なくとも1つの選択された基準画像と比較するステップと
ためのコンピュータコードを含む、請求項25に記載の非一時的コンピュータ可読記憶媒体。
【請求項２９】
前記命令はさらに前記1つまたは複数のプロセッサに、
行動バイオメトリックデータをキャプチャし、
前記キャプチャされた行動バイオメトリックデータを記憶された行動バイオメトリックデータと比較させ、
前記電子デバイスに対する前記ユーザのアクセスを認証するステップが、前記キャプチャされた行動バイオメトリックデータと前記記憶された行動バイオメトリックデータとの比較にさらに基づく、
請求項25に記載の非一時的コンピュータ可読記憶媒体。
【請求項３０】
前記命令はさらに前記1つまたは複数のプロセッサに、組み合わされた比較スコアを作成するために、(i)前記複数のバイオメトリック画像と前記少なくとも1つの選択された基準画像との前記比較に関する情報および(ii)前記キャプチャされた行動バイオメトリックデータと前記記憶された行動バイオメトリックデータの結果との前記比較の結果を組み合わせるステップをさらに含む、請求項29に記載の非一時的コンピュータ可読記憶媒体。
【請求項３１】
前記命令はさらに前記1つまたは複数のプロセッサに、認証のしきい値レベルが満たされたかどうかを前記比較に基づいて判定させ、前記認証のしきい値レベルが満たされたと判定した際に、前記電子デバイスへの前記ユーザのアクセスを認証させる、請求項25に記載の非一時的コンピュータ可読記憶媒体。
【請求項３２】
前記命令はさらに前記1つまたは複数のプロセッサに、前記電子デバイスを使用した初期認証の後に前記複数のバイオメトリック画像をキャプチャさせる、請求項25に記載の非一時的コンピュータ可読記憶媒体。
【請求項３３】
前記提供された情報は前記ユーザのアプリケーションの機能を決定するために使用される、請求項25に記載の非一時的コンピュータ可読記憶媒体。
【請求項３４】
装置であって、
ユーザが非認証動作に使用されるユーザデータを入力するために前記装置のユーザインターフェースと対話している間に、1つまたは複数のセンサーを用いて、ある時間期間にわたって前記複数のバイオメトリック画像を連続してキャプチャするための手段と、
前記複数のバイオメトリック画像の各画像について、
(1)前記ユーザインターフェースのキーを判定し、(2)前記ユーザインターフェースの前記キーに対応する指を決定するための手段であって、前記キーは前記ユーザインターフェースと対話している間に前記ユーザにより選択され、前記画像の前記キャプチャに関連付けられる、手段と、
前記複数のバイオメトリック画像が前記ユーザの１本の指に対応するかどうかを判定するための手段と、
前記複数のバイオメトリック画像が前記ユーザの前記１本の指に対応すると判定したことに応答して、前記複数のキャプチャされた画像との比較のために、電子デバイスのプロセッサにより、前記複数のバイオメトリック画像に対応する前記ユーザの前記１本の指に基づいて複数の基準画像から少なくとも１つの基準画像を選択するための手段と、
前記複数のバイオメトリック画像を前記少なくとも１つの選択された基準画像と比較するための手段と、
前記比較に基づいて前記電子デバイスに対する前記ユーザのアクセスを認証するための手段と、
を備える装置。
【請求項３５】
前記ユーザインターフェースが仮想キーボードを含み、前記仮想キーボードを表示するための手段をさらに備える、請求項34に記載の装置。
【請求項３６】
前記複数のバイオメトリック画像の各画像を前記少なくとも1つの選択された基準画像と比較するための前記手段が、複数の比較をもたらすように構成され、前記複数の比較の結果を単一の結果に組み合わせるための手段をさらに備える、請求項34に記載の装置。
【請求項３７】
前記複数のバイオメトリック画像を前記少なくとも1つの選択された基準画像と比較するための前記手段が、
前記複数のバイオメトリック画像を複合画像に組み合わせ、
前記複合画像を前記少なくとも1つの選択された基準画像と比較する
ための手段を備える、請求項34に記載の装置。
【請求項３８】
行動バイオメトリックデータをキャプチャし、
前記キャプチャされた行動バイオメトリックデータを記憶された行動バイオメトリックデータと比較する
ための手段をさらに備え、
前記電子デバイスに対する前記ユーザのアクセスを認証するステップが、前記キャプチャされた行動バイオメトリックデータと前記記憶された行動バイオメトリックデータとの比較にさらに基づく、
請求項34に記載の装置。